(57)【要約】【課題】昼間は外光の反射により各種の絵柄を表示し，夜間は車両ヘッドライト光の照射による反射に加えさらに自発光により上記絵柄を表示して視認性が優れた自発光反射表示板。【解決手段】ベース補強板３Ａ，３Ｂと，これらのベース補強板に設けられ，発光体からなる少なくとも１つのセグメントにより文字，記号，絵等の絵柄が描かれた絵柄発光表示体４Ａ，４Ｂと，これらの絵柄発光表示体の前面に設けられ，表面に照射された光を反射し，発光体が発光する光を透過させる絵柄反射表示体９Ａ，９Ｂとを有する。【選択図】図３
2015132145.tif 000002
【特許請求の範囲】
【請求項１】
ベース補強板と，該ベース補強板に設けられ，発光体からなる少なくとも１つのセグメントにより文字，記号，絵等の絵柄が描かれた絵柄発光表示体と，該絵柄発光表示体の前面に設けられ，表面に照射された光を反射し，前記発光体が発光する光を透過させる絵柄反射表示体とを備えていることを特徴とする自発光反射表示板。
【請求項２】
前記発光体はエレクトロルミネッセンスであって，該エレクトロルミネッセンスからなるセグメントは同じ発光色又は異なる発光色を発光するものであることを特徴とする請求項１に記載の自発光反射表示板。
【請求項３】
前記絵柄発光表示体及び絵柄反射表示体は，前面が透明なカバーシート体で覆われていることを特徴とする請求項１又は２に記載の自発光反射表示板。
【請求項４】
前記ベース補強板又はカバーシート体の少なくともいずれかに，把持部又は吊下げ部の少なくともいずれかを設けたことを特徴とする請求項１〜３のいずれかに記載の自発光反射表示板。
【請求項５】
請求項１又は２の自発光反射表示板を少なくとも２枚以上を用い，これらの自発光反射表示板はそれぞれ少なくとも前記ベース補強板又はカバーシート体のいずれかで折畳み自在に連結されていることを特徴とする自発光反射表示板。
【請求項６】
前記カバーシート体は，隣接するシートが１枚の透明シートで形成されていることを特徴とする請求項５に記載の自発光反射表示板。
【請求項７】
前記カバーシート体は，前記自発光反射表示板を複数枚折り畳んだときに各自発光反射表示板の折り畳み状態を保持する箇所に極性が異なるマグネットが付設されていることを特徴とする請求項５又は６に記載の自発光反射表示板。
【請求項８】
請求項１〜７のいずれかの自発光反射表示板に，前記絵柄発光表示体の発光体を発光させる制御装置と，該制御装置へ電力を供給する電源装置とを備えたことを特徴とする表示装置。
【発明の詳細な説明】
【技術分野】
【０００１】  本発明は，自発光反射表示板及びこれを用いた表示装置に係り，詳しくは，昼間は外光の反射により，文字，記号，図形，絵などからなる絵柄を表示し，夜間は車両などからのヘッドライト光の照射による反射及びこれに加えて自発光により上記絵柄を表示する自発光反射表示板及びこれを用いた表示装置に関する。【０００２】  現在，多種多様の標識，例えば交通規制や道路案内などにおける道路標識，災害時などに避難誘導を行う非難誘導標識，或いは歩道などに用いる保安用案内板などの標識が道路或いは歩道などに多く設置されている。これらの標識は，概ね，道路側縁などに固定された固定式のものとなっている。
しかし，このような固定式の標識は，恒久的な設置を目的とし取り外し移動できないものとなっているので，災害発生時などの短期及び臨時の使用，例えば交通事故或いは道路工事などでの交通規制や案内などを行う場合には当然のことながら使用できない。このような場合，従来，例えば道路工事現場などでの交通整理は，交通整理員が手旗や合図灯などを持って道路工事現場の前後に立ち，これらの手旗や合図灯などを振りながら，その向きや動作の大きさ，或いは身振りなどにより，運転者や通行人に「進め」，「止まれ」或いは「注意」などの合図を送って誘導しているのが一般である。
しかし，このような手旗や合図灯による誘導では合図灯などの誘導基準には個人差があり，交通整理員の合図灯などの振り方いかんによっては進んでよいのか悪いのかがはっきりしないことがあり，このためにこれに起因して車両事故や人身事故が度々発生し，仮に発生はしないとしてもその可能性は常にあった。また，このように合図灯などを振り回す作業はかなりの視力や体力を要するため，交通整理員の疲労度が増大して健康上にも問題があった。【０００３】  そこで，このような問題を解消するために，国土交通省のガイドラインでは，交通整理員には携帯用表示板を帯同させてそれを使用することを義務付けている。【０００４】  しかしそれでも，特に夜間においては携帯用表示板が周囲の外光や車両のヘッドライト等によりかき消され，或いは弱められることがあるため，事故の発生の危険性は昼間に比べ一段と高いものがあり，上記手旗や合図灯が抱える問題が解消されるまでに至っていなかった。【０００５】  この問題を解決するために工夫された携帯用表示板及び手旗や合図灯などが特許文献で多く提案されている。例えば，特開２００１−３０６００４号公報（特許文献１）には，表面に手の平マーク及び侵入禁止マークを形取ったＥＬ発光体を有する標識板を片手に装着し，この手を挙げ下げすることにより水銀スイッチをオン・オフして電装箱の電源との接続を行い，ＥＬ発光体を発光させる交通誘導標識具が開示されている。
また，特開２０１３−０１５７９４号公報（特許文献２）には，独立して点灯できる有機ＥＬを単位表示部とし，単位表示部を独立して点灯させることにより，表示した文字，記号，図形を個別に表示する横断幕が開示されている。
さらに，実用新案登録第３０９００９５号公報（特許文献３）には，特殊な蛍光体からなるＥＬ材を挟み電圧を印加できる構成とし，この構成により得た電界発光を光源として，カラー印刷した文字又は絵柄等を明るく表示できる薄膜シート形状の光表示装置を作り，この表示装置と団扇，誘導旗，誘導棒，ジャケット，ベストなどに組み込んだ電界発光フィルムを用いた光表示装置が開示されている。
さらにまた，特開２００６−００３６９８号公報（特許文献４）には，表示文字の上に有機ＥＬを設け，文字のみを照明させることで消費電力を抑えた表示装置が開示されている。
【先行技術文献】
【特許文献】
【０００６】
【特許文献１】特開２００１−３０６００４号公報
【特許文献２】特開２０１３−０１５７９４号公報
【特許文献３】実用新案登録第３０９００９５号公報
【特許文献４】特開２００６−００３６９８号公報
【発明の概要】
【発明が解決しようとする課題】
【０００７】  特許文献１〜４の標識具或いは表示装置によれば，従来の固定式標識と比べて，交通整理員が手で持って操作することができる。例えば特許文献１の標識具によれば，交通整理員の簡単な操作により車両の運転者或いは通行人に通行の可否を確実に送ることができ道路へ安全に誘導できる。
しかし，これらの標識具及び表示装置によっても，従来の手旗，合図灯や携帯用表示板が抱える問題を解消されず，さらなる改良が望まれている。また，これらの標識具及び表示装置は，部品点数が多く、構造が複雑でその用途はそれぞれのものに限定されてしまい汎用性がないものになっている。【０００８】  本発明は，このような従来技術が抱える課題を解決するためになされたもので，本発明の目的は，昼間は外光の反射により，文字，記号，図形，絵などの絵柄を表示し，夜間は車両などからのヘッドライト光の照射による反射に加え，さらに自発光により上記絵柄を表示し，昼・夜間を問わず視認性が優れた自発光反射表示板及びこれを用いた表示装置を提供することにある。
また，本発明の他の目的は，軽量化で使用し易く，省エネルギーを実現した自発光反射表示板及びこれを用いた表示装置を提供することにある。
【課題を解決するための手段】
【０００９】  本発明の上記目的は，以下の構成によって達成できる。すなわち，本発明の第１の態様の自発光反射表示板は，ベース補強板と，該ベース補強板に設けられ，発光体からなる少なくとも１つのセグメントにより文字，記号，絵等の絵柄が描かれた絵柄発光表示体と，該絵柄発光表示体の前面に設けられ，表面に照射された光を反射し，前記発光体が発光する光を透過させる絵柄反射表示体とを備えていることを特徴とする。【００１０】  第２の態様の自発光反射表示板は，第１の態様の自発光反射表示板において，前記発光体はエレクトロルミネッセンスであって，該エレクトロルミネッセンスからなるセグメントは同じ発光色又は異なる発光色を発光するものであることを特徴とする。【００１１】  第３の態様の自発光反射表示板は，第１又は２の態様の自発光反射表示板において，
前記絵柄発光表示体及び絵柄反射表示体は，前面が透明なカバーシート体で覆われていることを特徴とする。【００１２】  第４の態様の自発光反射表示板は，第１〜３のいずれかの態様の自発光反射表示板において，前記ベース補強板又はカバーシート体の少なくともいずれかに，把持部又は吊下げ部の少なくともいずれかを設けたことを特徴とする。【００１３】  第５の態様の自発光反射表示板は，第１又は２の態様の自発光反射表示板を少なくとも２枚以上を用い，これらの自発光反射表示板はそれぞれ少なくとも前記ベース補強板又はカバーシート体のいずれかで折畳み自在に連結されていることを特徴とする。【００１４】  第６の態様の自発光反射表示板は，第５の態様の自発光反射表示板において，前記カバーシート体は，隣接するシートが１枚の透明シートで形成されていることを特徴とする。【００１５】  第７の態様の自発光反射表示板は，第５又は６の態様の自発光反射表示板において，
前記カバーシート体は，前記自発光反射表示板を複数枚折り畳んだときに各自発光反射表示板の折り畳み状態を保持する箇所に極性が異なるマグネットが付設されていることを特徴とする。【００１６】  第８の態様の表示装置は，第１〜７のいずれかの態様の自発光反射表示板に，前記絵柄発光表示体の発光体を発光させる制御装置と，該制御装置へ電力を供給する電源装置とを備えたことを特徴とする。
【発明の効果】
【００１７】  本発明は，上記構成を備えることにより，以下の優れた効果を奏する。すなわち，第１の態様の自発光反射表示板によれば，昼間は太陽光などの外光の反射により，文字，記号，図形，絵などからなる絵柄を表示し，夜間は車両などからのヘッドライト光の照射により反射に加え自発光により上記の絵柄を表示し，昼・夜間を問わず視認性が優れ，また，絵柄発光表示体の文字，記号などの絵柄は発光体からなるセグメントで描かれているので，全面の発光体を点灯させるのに比べて省エネルギー化を実現できる。また，ベース補強板上に絵柄発光表示体及び絵柄反射表示体を設けるだけで構成できるので，構造が簡単で安価になり，多目的の用途，例えば交通規制や案内などの道路標識，緊急時などの避難誘導を行う非難誘導標識，歩道などに用いる保安用案内板などにも使用できる。【００１８】  第２の態様の自発光反射表示板によれば，絵柄の発光セグメントは同じ発光色又は異なる発光色のエレクトロルミネッセンスあるので，所望の発光色でを表示させて，視認性を高めることができる。【００１９】  第３の態様の自発光反射表示板によれば，絵柄発光表示体及び絵柄反射表示体は，前面が透明カバーシート体で覆われているので，内部への雨水，塵などの侵入を防止できる。【００２０】  第４の態様の自発光反射表示板によれば，把持部又は吊下げ部を利用して，手で持って或いは首に吊るして使用できる。【００２１】  第５の態様の自発光反射表示板によれば，表示できる絵柄が多くなり表示情報量が増大する。また折畳み自在となるので，収納，その他の管理が容易になる。また，各自発光反射表示板を独立して点灯させることにより，多彩な表示ができる【００２２】  第６の態様の自発光反射表示板によれば，大型の表示板を１枚のカバーシート体で連結し，また折畳み自在にできる。【００２３】  第７の態様の自発光反射表示板によれば，折畳んだときに，マグネットにより，その状態を保持できるので，収納・管理が容易になる。【００２４】  第８の態様の表示装置によれば，制御装置を利用して，自発光反射表示板を連続点灯或いは所定の間隔をあけて点滅させることができる。
【図面の簡単な説明】
【００２５】
【図１】本発明の実施形態に係る自発光反射表示板及びこれを用いた表示装置における全体の外観斜視図。
【図２】図１の２枚の自発光反射表示板を折畳んだ状態の外観斜視図。
【図３】図１の自発光反射表示板及びこれを用いた表示装置を分解した概略分解斜視図。
【図４】図１〜図３の自発光反射表示板を構成するベース補強板の平面図。
【図５】同上の絵柄発光表示体の平面図。
【図６】エレクトロルミネッセンスの原理を説明するエレクトロルミネッセンスの分解斜視図。
【図７】図１〜図３の自発光反射表示板を構成する絵柄反射表示体の平面図。
【図８】図１〜図３の２枚の自発光反射表示板を覆うカバーシート体の平面図。
【図９】本発明の実施形態に係る自発光反射表示板を制御する制御回路図。
【発明を実施するための形態】
【００２６】  以下，図面を参照して本発明の実施形態を説明する。ただし，以下に説明する実施形態は，本発明の技術思想を具体化するための自発光反射表示板及びこれを用いた表示装置を例示するものであって，本発明をこれらに特定することを意図するものではなく，特許請求の範囲に含まれるその他の実施形態のものにも等しく適応し得るものである。
【００２７】［実施形態］
図１〜図３を参照して，本発明の実施形態に係る自発光反射表示板及びこれを用いた表示装置を交通誘導標識に適用した例で説明する。
【００２８】  表示装置１は，図１に示すように，２枚の自発光反射表示板２Ａ，２Ｂと，これらの自発光反射表示板に設けた発光体を発光させる制御装置１６及びこの制御装置へ電力を供給する電源１７（図９参照）を備えている。２枚の自発光反射表示板２Ａ，２Ｂは交通誘導標識の「徐」と「行」とをそれぞれ表示し，長手方向の中央部１１ａで折畳み（図２参照）自在となっている。
なお，２枚の自発光反射表示板２Ａ，２Ｂは，表示文字の「徐」と「行」との文字が異なるだけで，構成がほぼ同じになっている。以下，一方の文字「徐」を表示する自発光反射表示板２Ａを中心に説明し，他の表示文字「行」の自発光反射表示板２Ｂは前者と同じ番号を用いこれに「Ｂ」を付して，この説明を省略し，異なる部分はその都度説明することとする。
【００２９】  文字「徐」を表示する自発光反射表示板２Ａは，図３に示すように，所定大きさの板状体からなるベース補強板３Ａと，このベース補強板上に設けられ文字「徐」を発光表示させる発光体を設けた絵柄発光表示体４Ａと，この絵柄発光表示体の前面に設けられ，表面に照射された光を反射し，且つ前記絵柄発光表示体４Ａの発光体が発光する光を透過させる絵柄反射表示体９Ａとを備えている。なお，表示文字はこの「徐」に限定されるものでなく，他の文字，記号，図形，絵などであってもよい。本明細書では，これらの文字，記号，図形，絵などを総称して「絵柄」と言うこととし，上記絵柄発光表示体４Ａ及び絵柄反射表示体９Ａは上記絵柄を表示するものである。
【００３０】  ベース補強板３Ａは，図４の状態において，所定の上下横幅ｗ１，ｗ２，左右縦幅ｈ１，ｈ２，肉厚を有する略長方形状の板状体で形成されている。各幅長及び肉厚は任意の寸法でよいが，この実施形態では各横幅ｗ１，ｗ２が同じで例えば４３５ｍｍ，各縦幅ｈ１，ｈ２は同じで例えば３８６ｍｍ，厚さは例えば２０ｍｍである。板状体の材料は，特定のものに限定されるものでなく任意のもでのよいが，特に，折れ難く（ある程度湾曲してもよい。），軽量で，しかも機械的強度が強い樹脂材，例えばポリプロピレンなどが好ましい。なお，絵柄発光表示体４Ａ及び絵柄反射表示体９Ａは，折れ曲がると破損してこれらの機能を失うので，湾曲の程度はこれらが折れ曲がらないようにした材料を選択する。
このような板状体でベース補強板３Ａを形成したので，この補強板に装着される絵柄発光表示体４Ａ及び絵柄反射表示体９Ａの折れ曲がりを防止でき，また折畳んだときに障害物などが当たってもベース補強板で受け止められるので，絵柄発光表示体及び絵柄反射表示体などの破損を防止できる。さらに，絵柄発光表示体４Ａ及び絵柄反射表示体９Ａの軽量化できる。
【００３１】  また，このベース補強板３Ａは，左の縦幅ｈ１側に手で把持する把持穴３１，上方の横幅ｗ２側には紐などで吊るす吊し穴３２が形成されている。
【００３２】  絵柄発光表示体４Ａは，図５に示すように，文字「徐」を発光表示させる発光体からなる複数個の発光文字セグメント５Ａ１〜５Ａ１０と，これらの発光文字セグメントが装着される固定シート７Ａとで形成されている。発光体にはエレクトロルミネッセンス（以下，ＥＬという。）を用いる。このＥＬは，無機，有機エレクトロルミネッセンスのいずれであってもよい。
【００３３】  複数個の発光文字セグメント５Ａ１〜５Ａ１０は，所定大きさのＥＬシートを用いて形成する。このＥＬシート５は，図６に示すように，裏面電極５ｂの上に，順に絶縁反射層５ｃ，発光層５ｄ，補助電極５ｅ’を設けた表面（透明）電極５ｅが積層され，この積層体の表裏面が絶縁防湿ラミネートフィルム５ａ，５ｆで覆われた構成となっている。表面の絶縁防湿ラミネートフィルム５ｆは透明なフィルムとなっている。また，発光層５ｄは，任意の発光色，例えば赤，青，緑などの発光材で形成されている。本実施形態では，白色或いは黄色を表示する発光材が好ましい。裏面電極５ｂ及び補助電極５ｅ’には，それぞれリード線６ｂ，６ａが接続されて，これらのリード線を通して裏面電極５ｂと補助電極５ｅ’に所定の電圧が印加されると，発光層５ｄの発光色の光Ｌが表面から発光される。
【００３４】  このＥＬシートを用いて複数個の発光文字セグメント５Ａ１〜５Ａ１０を作製する。この作製は，発光文字の漢字「徐」が１０画で構成されているので，このＥＬシート５を切り抜いて１０画数の発光文字セグメント５Ａ１〜５Ａ１０を作製する。
作製した発光文字「徐」５Ａは，図６を参照し，同図の裏面電極５ｂからなる１０個の裏面電極セグメントと表面電極５ｅからなる同数の表面電極セグメントとがそれぞれ対向し，各表裏電極セグメント間に発光層５ｄなどが介在された構成となる。
図５からは，この１０個の発光文字セグメント５Ａ１〜５Ａ１０に対応した１０個の表面電極５ｅからなるそれぞれの表面電極セグメントが透明な絶縁防湿ラミネートフィルム５ｆを透して目視できる。これらの表面電極セグメントは，図５に示すように，それぞれ接続線６ａ１〜６ａ６で電気的に接続されて，一端部が端子６ａに接続されている。同様に，裏面電極５ｂからなる各裏面電極セグメントは，前記表面電極セグメントの下方に位置して，これらの裏面電極セグメントもそれぞれ接続線，例えば６ｂ１，６ｂ２，６ｂ３・・・により，それらの外周囲に配置されたリング線６ｂ’に接続されいる。なお，このリング線は他の端子６ｂに接続されている。
リング線６ｂ’は，固定シート７Ａ上に設けてある。この固定シート７Ａは，ベース補強板３Ａより一回り小さい絶縁性フレキシブルシートからなっている。また，この固定シート７Ａには，一対の端子６ａ，６ｂを設置して，これらの端子はリード線６Ａに接続されれいる。一対の端子６ａ，６ｂとリード線６Ａとの接続は，着脱自在なコネクタを用いるのが好ましい。
【００３５】  ２枚の絵柄発光表示体４Ａ，４Ｂは，それぞれの発光文字「徐」と「行」とを同じ発光色，例えば白色，黄色，或いは他の異なる発光色にしてもよい。なお，各発光文字「徐」及び「行」であっても，複数個の発光文字セグメントのうち，独立している発光文字セグメント同士を異なる発光色のものにしてもよい。このように異なる発光色にすることにとって，多彩な表示ができるようになり，用途の拡大が可能になる。
【００３６】  絵柄反射表示体９Ａは，図７に示すように，発光文字５Ａと同様に，１０個の反射文字セグメント９Ａ１〜９Ａ１０からなり，これらは外光により反射し，しかも絵柄発光表示体４Ａの発光文字セグメントからの発光する光を透過する反射シートで形成される。この反射シートはプリズム反射シートが好ましい。１０個の反射文字セグメント９Ａ１〜９Ａ１０に，プリズム反射シートの切り抜き或いは打ち抜きなどで形成する。これら１０個の反射文字セグメントは，絵柄発光表示体４Ａの各発光文字セグメント５Ａ１〜５Ａ１０のそれぞれのセグメントに対応させて，それらの表面に接着剤で貼付する。接着剤は，透明なものを使用する。
【００３７】  これらの反射文字セグメント９Ａ１〜９Ａ１０は，絵柄発光表示体４Ａに貼付した後に，これらの表面がカバーシート体１０で覆われる。
カバーシート体１０は，図８に示すように，２枚の自発光反射表示板２Ａ，２Ｂを隣接させて，これらの前面を覆う大きさの透明シート１１で構成されている。この透明シート１１は，隣接した２枚の絵柄反射表示体９Ａ，９Ｂを覆ったときに，各絵柄反射表示体９Ａ，９Ｂの表示文字「徐」と「行」とがこの透明シートを透して見えると共に，外光により反射されるようにして，「徐」及び「行」の外周囲が光を遮る光不透過性塗料で塗布印刷される。この印刷により，隣接する２つの窓１１Ａ，１１Ｂが形成されて，これらの窓から文字「徐」及び「行」がこの透明シートを透かして見えると共に，外光により反射される。また外周囲１２は，光不透過性塗料で塗布印刷されているのでデザイン性がよくなる。
また，このカバーシート体１０は，透明シート１１の長手方向の左右側に，ベース補強板３Ａ，３Ｂの把持穴３１，３１と連通する把持穴１１１，１１３が，また，上幅側にベース補強板３Ａ，３Ｂの吊るし穴３２，３２と連通する吊るし穴１１２，１１４が形成されている。さらに，この透明シート１１の長手方向の左右側の上下に一対のマグネット１３１，１３２と１３３，１３４が取付けられている。一対のマグネット１３１，１３２と１３３，１３４とはそれぞれ極性が異なり，互いに吸着されるものとなっている。自発光反射表示板が３枚以上の場合も同じである。
【００３８】  制御装置１６は，図９に示すように，電源１７と，この電源にスイッチ１８を介して続され，所定の電圧に昇圧しＥＬを制御する定電圧昇圧型インバータ１９とを有し，このインバータの出力側にそれぞれ２枚の自発光反射表示板２Ａ，２Ｂが接続される。電源１７は乾電池或いは充電可能なバッテリーを用いる。また定電圧昇圧型インバータ１９はこれに接続された２枚の自発光反射表示板２Ａ，２Ｂを所定の間隔で点灯・点滅を繰り返す制御部を持っている。電源１７及びインバータ１９は，携帯自在な大きさの制御箱２０（図１，２参照）に収納されている。
【００３９】  以上，自発光反射表示板２Ａ，２Ｂを構成する部品を説明したが，これらの部品を用いて表示装置１は，以下の手順で組立てる。以下，その組立てと特徴を説明する。
図３から容易に理解し得るように，２枚のベース補強板３Ａ，３Ｂをそれぞれ隣接並べて配置して，これらの上に，まず各絵柄発光表示体４Ａ，４Ｂを装着し，次いでこれらの絵柄発光表示体４Ａ，４Ｂ上に，各絵柄反射表示体９Ａ，９Ｂを装着する。次いで，これらの絵柄発光表示体４Ａ，４Ｂ及び絵柄反射表示体９Ａ，９Ｂの前面をカバーシート体１０で覆い固定して組立てる。これにより，２枚の自発光反射表示板２Ａ，２Ｂが組立てられる。これらの自発光反射表示板２Ａ，２Ｂは，各ベース補強板３Ａ，３Ｂの把持穴３１，３１と透明シート１１の把持穴１１１，１１３とが，また各ベース補強板３Ａ，３Ｂの吊るし穴３２，３２と透明シート１１の吊るし穴１１２，１１４とが，それぞれ連通して，図１に示すように，左右側にそれぞれ把持穴１４ａ，１４ｂ及び上側にそれぞれ吊るし穴１５ａ，１５ｂが形成される。左右の把持穴１４ａ，１４ｂは，それぞれに左右の手を入れて，掲げるなどして表示利用することができ，また各吊るし穴１５ａ，１５ｂは所定長さの紐で固定して，この紐を首に引っ掛けて表示利用できる。また，これらの自発光反射表示板２Ａ，２Ｂは，カバーシート体１０で連結され，このカバーシート体が肉薄な透明シート１１で構成されているので，長手方向の中央部で二つ折りに折り畳むことができる。この折り畳みにより，２枚の自発光反射表示板２Ａ，２Ｂは，透明シート１１に装着された一対のマグネット１３１，１３２と１３３，１３４との吸着により，折り畳み状態が保持される。これにより，収納・管理が容易になる。
【００４０】  表示装置１は，２枚の自発光反射表示板２Ａ，２Ｂを制御装置１６に接続して使用する。制御装置１６のスイッチ１８をオンすると，それぞれの自発光反射表示板２Ａ，２Ｂから発光文字「徐」及び「行」がそれぞれ同色の発光色或い異なる発光色で連続点灯或いは点滅点灯される。
【００４１】  この実施形態の自発光反射表示板及びこれを用いた表示装置によれば，昼間は外光の反射により，「徐」及び「行」を表示し，夜間は車両などからのヘッドライト光の照射による反射に加え，さらに自発光により上記「徐」「行」を表示し，昼・夜間を問わず視認性が優れ，また，軽量化で使用し易く，省エネルギーを実現し，絵柄発光表示体及び絵柄反射表示体などの破損を防止できる。特に夜間の道路工事現場等において，交通整理員が手に装着，及び首に吊るして，車両の運転者や通行人に通行の可否を発光表示体により合図して的確に誘導できる。
この自発光反射表示板及びこれを用いた表示装置は，交通誘導標識に限定されるものでなく，例えば他の規制標識や案内標識などの道路標識，緊急時などの避難誘導を行う非難誘導標識，歩道などに用いる保安用案内板などの多用途に適用できるものである。
【符号の説明】
【００４２】１  表示装置
２Ａ，２Ｂ            自発光反射表示板
３Ａ，３Ｂ            ベース補強板
４Ａ，４Ｂ            絵柄発光表示体
５Ａ                  発光文字
５Ａ１〜５Ａ１０      発光文字セグメント
６Ａ，６Ｂ            リード線
６ｂ’                リング線
７Ａ                  固定シート
９Ａ，９Ｂ            絵柄反射表示体
９Ａ１〜９Ａ１０      反射文字セグメント
１０                  カバーシート体
１１                  透明シート
１２                  外周囲
１３１〜１３４        マグネット
１４ａ，１４ｂ        把持穴
１５ａ，１５ｂ        吊るし穴
１６                  制御装置
１７                  電源
１９                  定電圧昇圧型インバータ
２０                  制御箱
【図１】
2015132145.tif 000003
【図２】
2015132145.tif 000004
【図３】
2015132145.tif 000005
【図４】
2015132145.tif 000006
【図５】
2015132145.tif 000007
【図６】
2015132145.tif 000008
【図７】
2015132145.tif 000009
【図８】
2015132145.tif 000010
【図９】
2015132145.tif 000011